【手続補正書】
【提出日】平成17年2月14日(2005.2.14)
【手続補正１】
【補正対象書類名】明細書
【補正対象項目名】発明の名称
【補正方法】変更
【補正の内容】
【発明の名称】データ退避方法および外部記憶装置ならびに記憶システム
【手続補正２】
【補正対象書類名】明細書
【補正対象項目名】特許請求の範囲
【補正方法】変更
【補正の内容】
【特許請求の範囲】
【請求項１】
第１の外部記憶装置と、前記第１の外部記憶装置に対するデータの書き込みおよび読み出しなどの入出力を行なう上位装置とを含む情報処理システムにおいて、前記上位装置と接続された前記第１の外部記憶装置に対して、前記上位装置に接続されていない第２の外部装置を接続し、前記第１の外部記憶装置と前記第２の外部記憶装置との間で、自動的に前記第１の外部記憶装置のデータを前記第２の外部記憶装置に退避させる動作を行うことを特徴とするデータ退避方法。
【請求項２】
上位装置との間で授受されるデータが格納される第１の外部記憶装置と、前記第１の外部記憶装置に対して接続されるとともに前記上位装置には接続されない第２の外部装置と、前記第１および第２の外部記憶装置の少なくとも一方に設けられ、前記第１の外部記憶装置のデータを前記第２の外部記憶装置に自動的に退避させる動作を行う制御論理と、を含むことを特徴とする外部記憶装置。
【請求項３】
請求項２記載の外部記憶装置において、
前記第１の外部記憶装置内における複数のデータ格納領域または複数のデータセットの各々毎に、前記退避の実行開始時刻および退避先の前記第２の外部記憶装置におけるデータ格納領域またはデータセット名を指定する第１の制御情報と、前記第２の外部記憶装置の種別および前記退避の状況の少なくとも一方を管理するための第２の制御情報とを備え、
前記制御論理は、前記第１および第２の制御情報にアクセスすることにより、現在時刻が前記実行開始時刻に一致したことを契機に、前記第１の外部記憶装置から前記第２の外部記憶装置への前記データの前記退避を実行することを特徴とする外部記憶装置。
【請求項４】
ホスト装置に接続された第１の外部記憶装置におけるデータ退避方法であって、
前記第１の外部記憶装置と第２の外部記憶装置との間を接続するステップと、
前記接続を介して前記第１の外部記憶装置に記憶されたデータを前記第２の外部記憶装置にコピーするステップと、を有し、
前記コピーステップは、前記第１の外部記憶装置に記憶された構成情報のデータバックアップ開始時刻に基づいて実行され、
前記コピーステップは、タイマの現在時刻が前記データバックアップ開始時刻に対応する時に実行され、また前記コピーステップは、前記データバックアップが完了した時に終了し、
前記構成情報は、前記第２の外部記憶装置が磁気テープ型記憶装置であるかどうかを表示する装置フラグのタイプからなり、
前記コピーステップは、前記装置フラグの前記タイプにより表示される記憶装置のタイプに対応して実行され、
前記コピーステップは、前記ホスト装置とは独立して実行できる、データ退避方法。
【請求項５】
ソース記憶装置からバックアップ用記憶装置へのデータのバックアップ操作を実行するための記憶システムであって、
ホストコンピュータとキャッシュメモリとの間のデータの転送を制御する第１の制御ユニットと、
前記キャッシュメモリと前記バックアップ用記憶装置との間のデータの転送を制御する第２の制御ユニットと、
前記キャッシュメモリと前記ソース記憶装置との間のデータの転送を制御する第３の制御ユニットと、を有し、
少なくとも前記第１および第２の制御ユニットは、バックアップ情報のセットを格納した共通メモリに接続されており、
前記バックアップ情報のセットは、バックアップされるべきデータの前記ソース記憶装置におけるアドレスのソースボリュームアドレス、前記第２の制御ユニットの名前、および前記バックアップ用記憶装置の名前を少なくとも含み、
前記第２の制御ユニットは、前記バックアップ操作の開始タイミングを検出した時、また前記バックアップ情報のセットに基づいて、前記第３の制御ユニットに対し、前記ソースボリュームアドレスの前記ソース記憶装置からデータを読み出し、かつそのデータを前記キャッシュメモリに格納することを指令し、前記第３の制御ユニットにより前記キャッシュメモリに格納されたデータを読み出し、前記キャッシュメモリから読み出された前記データを前記バックアップ用記憶装置に伝送して、前記データをバックアップする、記憶システム。
【手続補正３】
【補正対象書類名】明細書
【補正対象項目名】００７４
【補正方法】変更
【補正の内容】
【００７４】
ステップ５０４でデータバックアップ用外部記憶装置３０から読み込んだボリューム名とデータバックアップ用外部記憶装置のボリューム名１２３とが一致するかをチェックする。ステップ５０４でデータバックアップ用外部記憶装置３０から読み込んだボリューム名とデータバックアップ用外部記憶装置のボリューム名１２３とが一致しなければ、図１１のステップ７１０へ進む。ステップ５０４でデータバックアップ用外部記憶装置３０から読み込んだボリューム名とデータバックアップ用外部記憶装置のボリューム名１２３とが一致する場合は、ステップ５０５へ進む。
【手続補正４】
【補正対象書類名】明細書
【補正対象項目名】００７７
【補正方法】変更
【補正の内容】
【００７７】
ステップ５０８で、データバックアップ用外部記憶装置３０にバックアップデータを書き込み、ステップ５０７へ戻る。
【手続補正５】
【補正対象書類名】明細書
【補正対象項目名】００８７
【補正方法】変更
【補正の内容】
【００８７】
ステップ６０７で、データバックアップ用外部記憶装置３０から読み込んだボリューム名とデータバックアップ用外部記憶装置のボリューム名１２３とが一致するかをチェックする。ステップ６０７でデータバックアップ用外部記憶装置３０から読み込んだボリューム名とデータバックアップ用外部記憶装置のボリューム名１２３とが一致しなければ、図１１のステップ７１０へ進む。ステップ６０７でデータバックアップ用外部記憶装置３０から読み込んだボリューム名とデータバックアップ用外部記憶装置のボリューム名１２３とが一致する場合は、ステップ６０８へ進む。
【手続補正６】
【補正対象書類名】明細書
【補正対象項目名】００９２
【補正方法】変更
【補正の内容】
【００９２】
ステップ６１３で、データバックアップ用外部記憶装置３０の状態が、Ｅ．Ｏ．Ｔ（Ｅ．Ｏ．Ｔは、Ｅｎｄ  Ｏｆ  Ｔａｐｅの略。磁気テープの終端のこと。）に位置付いているかをチェックする。ステップ６１３で、データバックアップ用外部記憶装置３０の状態が、Ｅ．Ｏ．Ｔに位置付いていれば、ステップ６１４へ進む。ステップ６１３で、データバックアップ用外部記憶装置３０の状態が、Ｅ．Ｏ．Ｔに位置付いていなければ、ステップ６１０へ戻る。
【手続補正７】
【補正対象書類名】明細書
【補正対象項目名】０１０１
【補正方法】変更
【補正の内容】
【０１０１】
ステップ７０８で、データバックアップ用外部記憶装置３０から読み込んだボリューム名とバックアップ情報テーブル１４０中の現在のボリューム名１４３とが一致するかをチェックする。ステップ７０８で、データバックアップ用外部記憶装置３０から読み込んだボリューム名とバックアップ情報テーブル１４０中の現在のボリューム名１４３とが一致しなければ、ステップ７１０へ進む。ステップ７０８で、データバックアップ用外部記憶装置３０から読み込んだボリューム名とバックアップ情報テーブル１４０中の現在のボリューム名１４３とが一致する場合は、ステップ７０９へ進む。